(57)【要約】【課題】テンプレートについての利便性向上を図った３次元陳列空間表示制御システムを提供する。【解決手段】３次元陳列空間制御サーバ２では、物体を３次元空間に陳列したように表示させる要求があった際に、テンプレート適用前の３次元陳列空間情報を管理する３次元陳列空間情報管理装置５やテンプレート適用前３次元陳列空間情報管理部２４からテンプレート適用前の３次元陳列空間情報を取得し、複数のテンプレートを管理するテンプレート管理装置１からテンプレートを選択し、選択されたテンプレートを取得されたテンプレート適用前の３次元陳列空間情報に適用する。【選択図】      図１
2004362275.tif 000002
【特許請求の範囲】
【請求項１】
物体を３次元空間に陳列したように表示させる３次元陳列空間表示制御システムにおいて、
物体を３次元空間に陳列したように表示させる要求があった際に、物体を３次元空間に陳列したように表示させるためのテンプレート適用前の３次元陳列空間情報を管理する手段からテンプレート適用前の３次元陳列空間情報を取得する手段と、
物体を３次元空間に陳列したように表示させる要求があった際に、物体を３次元空間に陳列したように表示させるための複数のテンプレートを管理する手段からテンプレートを選択する手段と、
前記選択されたテンプレートを前記取得されたテンプレート適用前の３次元陳列空間情報に適用する手段と
を備えることを特徴とする３次元陳列空間表示制御システム。
【請求項２】
複数のテンプレートを管理する前記手段は、
複数のテンプレートのそれぞれにテンプレートＩＤを付して管理し、
テンプレートを選択する前記手段は、
テンプレートを選択する際に、選択されるテンプレートのテンプレートＩＤを指定する
ことを特徴とする請求項１記載の３次元陳列空間表示制御システム。
【請求項３】
テンプレートを選択する前記手段は、
テンプレート適用前の３次元陳列空間情報に付されたテンプレートＩＤまたは閲覧環境に関する情報によりテンプレートを選択する
ことを特徴とする請求項１または２記載の３次元陳列空間表示制御システム。
【請求項４】
前記テンプレート適用後の３次元陳列空間情報を所定の表示手段に表示させる手段
を備えることを特徴とする請求項１ないし３のいずれかに記載の３次元陳列空間表示制御システム。
【請求項５】
３次元陳列空間情報に適用されるテンプレートを作成し、テンプレートを管理する前記手段に管理させる手段
を備えることを特徴とする請求項１ないし４のいずれかに記載の３次元陳列空間表示制御システム。
【請求項６】
テンプレート適用前の３次元陳列空間情報を作成し、該３次元陳列空間情報にテンプレートＩＤを付与し、３次元陳列空間情報を管理する前記手段に管理させる手段
を備えることを特徴とする請求項１ないし５のいずれかに記載の３次元陳列空間表示制御システム。
【請求項７】
管理されるテンプレートの利用履歴を管理する手段
を備えることを特徴とする請求項１ないし６のいずれかに記載の３次元陳列空間表示制御システム。
【請求項８】
利用履歴を管理する前記手段は、
テンプレートの作成時のポイントに対し閲覧時にポイントを加算することを特徴とする請求項７記載の３次元陳列空間表示制御システム。
【請求項９】
テンプレート適用前の３次元陳列空間情報を管理する前記手段と、
テンプレート適用前の３次元陳列空間情報を取得する前記手段と、
テンプレートを選択する前記手段と、
テンプレートを適用する前記手段と、
テンプレート適用後の３次元陳列空間情報を表示させる前記手段と
を備えることを特徴とする３次元陳列空間制御サーバ。
【請求項１０】
テンプレートを管理する前記手段と、
利用履歴を管理する前記手段と
を備えることを特徴とするテンプレート管理装置。
【請求項１１】
テンプレートを作成する前記手段と、
テンプレート適用前の３次元陳列空間情報を作成する前記手段
とを備えることを特徴とするオーサリング装置。
【請求項１２】
物体を３次元空間に陳列したように表示させる３次元陳列空間表示制御システムにおける３次元陳列空間表示制御方法において、
物体を３次元空間に陳列したように表示させるためのテンプレート適用前の３次元陳列空間情報を管理する手段からテンプレート適用前の３次元陳列空間情報を取得し、
物体を３次元空間に陳列したように表示させるための複数のテンプレートを管理する手段からテンプレートを選択し、
前記選択されたテンプレート適用前の３次元陳列空間情報に前記取得されたテンプレートを適用し、
前記テンプレート適用後の３次元陳列空間情報を所定の表示手段に表示させる
ことを特徴とする３次元陳列空間表示制御方法。
【発明の詳細な説明】
【０００１】
【発明の属する技術分野】
本発明は、物体を３次元空間に陳列したように表示させる３次元陳列空間表示制御システムに関する。
【０００２】
【従来の技術】
多数のＷｅｂページや画像情報を同時に３次元空間上に表示する方法は、例えば、特許文献１、２にあるように、広く知られている。
【０００３】
また、上記のような技術で実現される３次元陳列空間を作成するにあたって、画像配置及び動作設定をテンプレートとして作成し、これを適用することによって、３次元陳列空間の作成を容易に行う技術についても、特許文献３にあるように、広く知られている。
【０００４】
【特許文献１】
特開２０００−０９９２３２号公報
【０００５】
【特許文献２】
特開２００１−７５９８７号公報
【０００６】
【特許文献３】
特開２００３−１４１５７２号公報
【０００７】
【発明が解決しようとする課題】
しかしながら、上記した作成方法では、テンプレートを選択するのは３次元陳列空間を作成するときに限られ、閲覧するときには選択できないため、再度３次元陳列空間を作成する必要がある。
【０００８】
また、テンプレートは３次元陳列空間を作成する端末上にしか存在しないため、他の３次元陳列空間作成者と共用することができない。
【０００９】
また、テンプレートそのものを流通させ、その対価をテンプレート作成者に還元するようなシステムを構築することも不可能であった。
【００１０】
そこで本発明は、上記の従来の課題に鑑みてなされたものであり、その目的とするところは、テンプレートについての利便性向上を図った３次元陳列空間表示制御システムを提供することにある。
【００１１】
【課題を解決するための手段】
上記従来の課題を解決するために、請求項１の本発明は、物体を３次元空間に陳列したように表示させる３次元陳列空間表示制御システムにおいて、物体を３次元空間に陳列したように表示させる要求があった際に、物体を３次元空間に陳列したように表示させるためのテンプレート適用前の３次元陳列空間情報を管理する手段からテンプレート適用前の３次元陳列空間情報を取得する手段と、物体を３次元空間に陳列したように表示させる要求があった際に、物体を３次元空間に陳列したように表示させるための複数のテンプレートを管理する手段からテンプレートを選択する手段と、前記選択されたテンプレートを前記取得されたテンプレート適用前の３次元陳列空間情報に適用する手段とを備えることを特徴とする３次元陳列空間表示制御システムをもって解決手段とする。
【００１２】
請求項１の３次元陳列空間表示制御システムによれば、物体を３次元空間に陳列したように表示させる３次元陳列空間表示制御システムにおいて、物体を３次元空間に陳列したように表示させる要求があった際に、物体を３次元空間に陳列したように表示させるためのテンプレート適用前の３次元陳列空間情報を管理する手段からテンプレート適用前の３次元陳列空間情報を取得する手段と、物体を３次元空間に陳列したように表示させる要求があった際に、物体を３次元空間に陳列したように表示させるための複数のテンプレートを管理する手段からテンプレートを選択する手段と、前記選択されたテンプレートを前記取得されたテンプレート適用前の３次元陳列空間情報に適用する手段とを備えるので、テンプレートについての利便性向上を図れる。
【００１３】
請求項２の本発明は、複数のテンプレートを管理する前記手段は、複数のテンプレートのそれぞれにテンプレートＩＤを付して管理し、テンプレートを選択する前記手段は、テンプレートを選択する際に、選択されるテンプレートのテンプレートＩＤを指定することを特徴とする請求項１記載の３次元陳列空間表示制御システムをもって解決手段とする。
【００１４】
請求項２の３次元陳列空間表示制御システムによれば、複数のテンプレートを管理する前記手段は、複数のテンプレートのそれぞれにテンプレートＩＤを付して管理し、テンプレートを選択する前記手段は、テンプレートを選択する際に、選択されるテンプレートのテンプレートＩＤを指定するので、テンプレートＩＤで選択されたテンプレートで３次元陳列空間情報を生成できる。
【００１５】
請求項３の本発明は、テンプレートを選択する前記手段は、テンプレート適用前の３次元陳列空間情報に付されたテンプレートＩＤまたは閲覧環境に関する情報によりテンプレートを選択することを特徴とする請求項１または２記載の３次元陳列空間表示制御システムをもって解決手段とする。
【００１６】
請求項３の３次元陳列空間表示制御システムによれば、テンプレートを選択する前記手段は、テンプレート適用前の３次元陳列空間情報に付されたテンプレートＩＤまたは閲覧環境に関する情報によりテンプレートを選択するので、テンプレートＩＤまたは閲覧環境に関する情報、例えばサービスレベル、利用者の回線の種別、利用時間帯、表示する装置の性能（画面の解像度や処理能力等）により選択されたテンプレートで３次元陳列空間情報を生成できる。
【００１７】
請求項４の本発明は、前記テンプレート適用後の３次元陳列空間情報を所定の表示手段に表示させる手段を備えることを特徴とする請求項１ないし３のいずれかに記載の３次元陳列空間表示制御システムをもって解決手段とする。
【００１８】
請求項４の３次元陳列空間表示制御システムによれば、前記テンプレート適用後の３次元陳列空間情報を所定の表示手段に表示させる手段を備えるので、選択されたテンプレートにより生成された３次元陳列空間情報で物体を３次元空間に陳列したように表示させることができる。
【００１９】
請求項５の本発明は、３次元陳列空間情報に適用されるテンプレートを作成し、テンプレートを管理する前記手段に管理させる手段を備えることを特徴とする請求項１ないし４のいずれかに記載の３次元陳列空間表示制御システムをもって解決手段とする。
【００２０】
請求項５の３次元陳列空間表示制御システムによれば、３次元陳列空間情報に適用されるテンプレートを作成し、テンプレートを管理する前記手段に管理させる手段を備えるので、テンプレートを作成して逐一管理する必要がない。
【００２１】
請求項６の本発明は、テンプレート適用前の３次元陳列空間情報を作成し、該３次元陳列空間情報にテンプレートＩＤを付与し、３次元陳列空間情報を管理する前記手段に管理させる手段を備えることを特徴とする請求項１ないし５のいずれかに記載の３次元陳列空間表示制御システムをもって解決手段とする。
【００２２】
請求項６の３次元陳列空間表示制御システムによれば、テンプレート適用前の３次元陳列空間情報を作成し、該３次元陳列空間情報にテンプレートＩＤを付与し、３次元陳列空間情報を管理する前記手段に管理させる手段を備えるので、テンプレート適用前の３次元陳列空間情報を作成して逐一管理する必要がない。
【００２３】
請求項７の本発明は、管理されるテンプレートの利用履歴を管理する手段を備えることを特徴とする請求項１ないし６のいずれかに記載の３次元陳列空間表示制御システムをもって解決手段とする。
【００２４】
請求項７の３次元陳列空間表示制御システムによれば、管理されるテンプレートの利用履歴を管理する手段を備えるので、テンプレートの利用履歴を逐一管理する必要がない。
【００２５】
請求項８の本発明は、利用履歴を管理する前記手段は、テンプレートの作成時のポイントに対し閲覧時にポイントを加算することを特徴とする請求項７記載の３次元陳列空間表示制御システムをもって解決手段とする。
【００２６】
請求項８の３次元陳列空間表示制御システムによれば、利用履歴を管理する前記手段は、テンプレートの作成時のポイントに対し閲覧時にポイントを加算をするので、テンプレートが閲覧されたときには作成者へ更に多くの対価還元が行えるようにできる。
【００２７】
請求項９の本発明は、テンプレート適用前の３次元陳列空間情報を管理する前記手段と、テンプレート適用前の３次元陳列空間情報を取得する前記手段と、テンプレートを選択する前記手段と、テンプレートを適用する前記手段と、テンプレート適用後の３次元陳列空間情報を表示させる前記手段とを備えることを特徴とする３次元陳列空間制御サーバをもって解決手段とする。
【００２８】
請求項９の３次元陳列空間制御サーバによれば、テンプレート適用前の３次元陳列空間情報を管理する前記手段と、テンプレート適用前の３次元陳列空間情報を取得する前記手段と、テンプレートを選択する前記手段と、テンプレートを適用する前記手段と、テンプレート適用後の３次元陳列空間情報を表示させる前記手段とを備えるので、テンプレートについての利便性向上を図れる。
【００２９】
請求項１０の本発明は、テンプレートを管理する前記手段と、利用履歴を管理する前記手段とを備えることを特徴とするテンプレート管理装置をもって解決手段とする。
【００３０】
請求項１０のテンプレート管理装置によれば、テンプレートを管理する前記手段と、利用履歴を管理する前記手段とを備えるので、テンプレートについての利便性向上を図れる。
【００３１】
請求項１１の本発明は、テンプレートを作成する前記手段と、テンプレート適用前の３次元陳列空間情報を作成する前記手段とを備えることを特徴とするオーサリング装置をもって解決手段とする。
【００３２】
請求項１１のオーサリング装置によれば、テンプレートを作成する前記手段と、テンプレート適用前の３次元陳列空間情報を作成する前記手段とを備えるので、テンプレート及び３次元陳列空間情報を作成できて利便性向上を図れる。
【００３３】
請求項１２の本発明は、物体を３次元空間に陳列したように表示させる３次元陳列空間表示制御システムにおける３次元陳列空間表示制御方法において、物体を３次元空間に陳列したように表示させるためのテンプレート適用前の３次元陳列空間情報を管理する手段からテンプレート適用前の３次元陳列空間情報を取得し、物体を３次元空間に陳列したように表示させるための複数のテンプレートを管理する手段からテンプレートを選択し、前記選択されたテンプレート適用前の３次元陳列空間情報に前記取得されたテンプレートを適用し、前記テンプレート適用後の３次元陳列空間情報を所定の表示手段に表示させることを特徴とする請求項１２記載の３次元陳列空間表示制御方法をもって解決手段とする。
【００３４】
請求項１２の３次元陳列空間表示制御方法によれば、物体を３次元空間に陳列したように表示させるためのテンプレート適用前の３次元陳列空間情報を管理する手段からテンプレート適用前の３次元陳列空間情報を取得し、物体を３次元空間に陳列したように表示させるための複数のテンプレートを管理する手段からテンプレートを選択し、前記選択されたテンプレート適用前の３次元陳列空間情報に前記取得されたテンプレートを適用し、前記テンプレート適用後の３次元陳列空間情報を所定の表示手段に表示させるので、テンプレートについての利便性向上を図れる。
【００３５】
【発明の実施の形態】
以下、本発明の実施の形態を図面を参照して説明する。
【００３６】
図１は、本発明の３次元陳列空間表示制御システムを含むシステムの構成を示す図である。
【００３７】
テンプレート管理装置１と３次元陳列空間制御サーバ２と利用者端末３とオーサリング端末４と３次元陳列空間情報管理装置５のそれぞれはコンピュータシステムであり、ネットワーク（一部図示省略）を介して相互通信可能に構成されている。ネットワークは、インターネット、専用線、ローカルエリアネットワークなどを含んで構成され、通信回線の種類としては、光ファイバーやＡＤＳＬ（Ａｓｙｍｍｅｔｒｉｃ  Ｄｉｇｉｔａｌ  Ｓｕｂｓｃｒｉｂｅｒ  Ｌｉｎｅ）などがある。
【００３８】
テンプレート管理装置１は、テンプレートを管理するコンピュータシステムであり、テンプレートを管理するテンプレート管理部１１とテンプレートの利用履歴を管理するテンプレート利用履歴管理部１２とを含んで構成されている。
【００３９】
３次元陳列空間制御サーバ２は、３次元陳列空間を制御するコンピュータシステムであり、テンプレートを選択するテンプレート選択部２１とテンプレート適用前の３次元陳列空間情報（Ｗｅｂページなどの物体を３次元空間に陳列したように表示するための物体の配置情報、物体の画像情報、画面での動作の設定等が含まれる。以下同様）にテンプレートを適用する（テンプレートにより３次元陳列空間情報内の情報や設定を変更、置き換え、追加、削除等することである。以下同様）テンプレート適用部２２と３次元陳列空間の表示制御を行う３次元陳列空間表示制御部２３とテンプレート適用前の３次元陳列空間情報を管理するテンプレート適用前３次元陳列空間情報管理部２４とテンプレート適用後の３次元陳列空間情報を管理するテンプレート適用後３次元陳列空間情報管理部２５を含んで構成されている。
【００４０】
利用者端末３は、３次元陳列空間を閲覧する利用者に利用されるコンピュータシステムであり、３次元陳列空間情報を基に表示制御を行う３次元陳列空間閲覧部３１と３次元陳列空間情報による表示内容つまり３次元陳列空間が表示される表示部３２と操作が行われる入力部３３とを含んで構成されている。
【００４１】
オーサリング端末４は、テンプレート作成者、３次元陳列空間情報作成者等により利用されるコンピュータシステムであり、テンプレートを作成するテンプレート作成部４１と３次元陳列空間情報を作成する３次元陳列空間情報作成部４２と３次元陳列空間情報にテンプレートＩＤを付与するテンプレートＩＤ付与部４３とを含んで構成されている。テンプレートＩＤとは、該ＩＤを付与されたテンプレートを一意に特定する識別情報である。
【００４２】
３次元陳列空間情報管理装置５は、テンプレート適用前の３次元陳列空間情報を管理するコンピュータシステムであり、テンプレート適用前の３次元陳列空間情報を管理するテンプレート適用前３次元陳列空間情報管理部５１を含んで構成されている。
【００４３】
次に、本発明の３次元陳列空間表示制御方法を含む本実施の形態の作用を説明する。
【００４４】
テンプレート作成者によるオーサリング端末４への操作内容に応じてテンプレート作成部４１がテンプレートを作成し、当該テンプレートをテンプレート管理装置１へ送信する。
【００４５】
テンプレート管理装置１では、オーサリング端末４から送信されたテンプレートにテンプレートＩＤを付してテンプレート管理部１１に保存する。
【００４６】
かかる処理により、内容の相違する複数のテンプレートがそれぞれにテンプレートＩＤを付されてテンプレート管理部１１に保存される。
【００４７】
なお、テンプレート利用履歴管理部１２は、各テンプレートが所定の値のテンプレートポイント（ここでは１００ポイントとする）を持つように管理する。
【００４８】
また、３次元陳列空間情報作成者によるオーサリング端末４への操作内容に応じて３次元陳列空間情報作成部４２がテンプレート適用前の３次元陳列空間情報を作成しテンプレートＩＤ付与部４３へ与える。
【００４９】
また、３次元陳列空間情報作成者によるオーサリング端末４への操作内容に応じてテンプレートＩＤ付与部４３がテンプレート管理装置１へ検索キーワードを送信する。
【００５０】
テンプレート管理装置１は、送信されたキーワードでテンプレート管理部１１からテンプレートを検索し、検索されたテンプレートに付与されたテンプレートＩＤをオーサリング端末４に送信する。
【００５１】
オーサリング端末４のテンプレートＩＤ付与部４３は、テンプレート管理装置１から送信されたテンプレートＩＤを、３次元陳列空間情報作成部４２から与えられたテンプレート適用前の３次元陳列空間情報に付与して３次元陳列空間情報管理装置５に送信する。
【００５２】
３次元陳列空間情報管理装置５は、送信されたテンプレートＩＤを付与されたテンプレート適用前の３次元陳列空間情報をテンプレート適用前３次元陳列空間情報管理部５１に保存する。
【００５３】
なお、３次元陳列空間情報管理装置５は、テンプレートＩＤとこれを付与されたテンプレート適用前の３次元陳列空間情報を３次元陳列空間制御サーバ２に送信し、３次元陳列空間制御サーバ２は、送信されたテンプレートＩＤとこれを付与されたテンプレート適用前の３次元陳列空間情報をテンプレート適用前３次元陳列空間情報管理部２４に保存する。
【００５４】
一方、３次元陳列空間閲覧を所望する利用者の操作により利用者端末３の３次元陳列空間閲覧部３１は、３次元陳列空間制御サーバ２に対し、３次元陳列空間情報要求（コマンド）を送信する。
【００５５】
３次元陳列空間制御サーバ２の３次元陳列空間表示制御部２３は、３次元陳列空間情報要求をテンプレート適用部２２に与える。
【００５６】
テンプレート適用部２２は、与えられた３次元陳列空間情報要求を基に、テンプレート適用前の３次元陳列空間情報をテンプレート適用前３次元陳列空間情報管理部２４から読み出し、該３次元陳列空間情報に付与されたテンプレートＩＤをテンプレート選択部２１に与える。
【００５７】
テンプレート選択部２１は、与えられたテンプレートＩＤをテンプレート管理装置１に送信する。
【００５８】
テンプレート管理装置１では、送信されたテンプレートＩＤを付与されたテンプレートをテンプレート管理部１１から読み出す。そして、読み出したテンプレートを３次元陳列空間制御サーバ２に返送する。
【００５９】
その際、テンプレート管理装置１のテンプレート利用履歴管理部１２では、読み出されて送信されたテンプレートのテンプレートポイントから、１回の利用に相当するポイント（ここでは１ポイントとする）を加算する。このテンプレートポイントの値は、当該テンプレートを作成した作成者への対価還元のために用いられる。
【００６０】
３次元陳列空間制御サーバ２のテンプレート選択部２１は、テンプレート管理装置１から返送されたテンプレートを受信しテンプレート適用部２２に与える。
【００６１】
テンプレート適用部２２は、与えられたテンプレートを、テンプレート適用前３次元陳列空間情報管理部２４から読み出したテンプレート適用前の３次元陳列空間情報に適用する、つまりテンプレート適用後の３次元陳列空間情報を作成し、これを３次元陳列空間表示制御部２３に与える。３次元陳列空間表示制御部２３は、与えられた３次元陳列空間情報を利用者端末３に送信する。
【００６２】
利用者端末３の３次元陳列空間閲覧部３１は、３次元陳列空間制御サーバ２から送信された３次元陳列空間情報を基に表示部３２に表示を行う。
【００６３】
ところで、本実施の形態では、以下のように処理することも可能である。
【００６４】
テンプレート適用部２２は、３次元陳列空間情報管理装置５へ３次元陳列空間情報要求を転送する。
【００６５】
３次元陳列空間情報管理装置５は、転送された３次元陳列空間情報要求を基にテンプレート適用前３次元陳列空間情報管理部５１から、テンプレートＩＤを付与されたテンプレート適用前の３次元陳列空間情報を読み出し、３次元陳列空間制御サーバ２に応答する。
【００６６】
３次元陳列空間制御サーバ２は、このテンプレートＩＤを付与されたテンプレート適用前の３次元陳列空間情報を受信する。このテンプレートＩＤを付与されたテンプレート適用前の３次元陳列空間情報は、テンプレート適用前３次元陳列空間情報管理部２４から読み出された前述のものと同様に扱われる。
【００６７】
また、本実施の形態では、以下のように処理することも可能である。
【００６８】
３次元陳列空間制御サーバ２においては、テンプレート適用後の３次元陳列空間情報を作成し、これを利用者端末３に送信しないで、テンプレート適用後３次元陳列空間情報管理部２５に保存しておく場合がある。
【００６９】
また、利用者端末３に送信されたテンプレート適用後の３次元陳列空間情報をテンプレート適用後３次元陳列空間情報管理部２５に保存しておく場合がある。
テンプレート適用後３次元陳列空間情報管理部２５に保存しておくことにより、テンプレート適用後の３次元陳列空間情報を利用者端末３に迅速に送信できる。
【００７０】
また、本実施の形態では、テンプレート適用前３次元陳列空間情報管理部２４から読み出された、あるいは３次元陳列空間情報管理装置５から送信されたテンプレート適用前の３次元陳列空間情報に付されたテンプレートＩＤの代わりに、利用者端末３の（３次元陳列空間情報の）利用者のサービスレベル（支払い金額等によるもの）、当該利用者が利用している回線の種別、利用時間帯、利用者端末３の性能（画面の解像度や処理能力等）などに応じたテンプレートを選択してもよい。
【００７１】
以上説明したように、本実施の形態によれば、物体を３次元空間に陳列したように表示させる要求があった際に、テンプレート適用前の３次元陳列空間情報を管理する３次元陳列空間情報管理装置５やテンプレート適用前３次元陳列空間情報管理部２４からテンプレート適用前の３次元陳列空間情報を取得し、複数のテンプレートを管理するテンプレート管理装置１からテンプレートを選択し、選択されたテンプレートを取得されたテンプレート適用前の３次元陳列空間情報に適用するので、テンプレートについての利便性向上を図れる。
【００７２】
また、複数のテンプレートのそれぞれにテンプレートＩＤを付して管理し、選択されるテンプレートのテンプレートＩＤを指定するので、テンプレートＩＤで選択されたテンプレートで３次元陳列空間情報を生成できる。
【００７３】
また、テンプレート適用前の３次元陳列空間情報に付されたテンプレートＩＤまたは閲覧環境に関する情報によりテンプレートを選択するので、テンプレートＩＤまたは閲覧環境に関する情報、例えばサービスレベル、利用者の回線の種別、利用時間帯、表示する装置の性能（画面の解像度や処理能力等）により選択されたテンプレートで３次元陳列空間情報を生成できる。
【００７４】
また、テンプレート適用後の３次元陳列空間情報を所定の表示手段に表示させるので、選択されたテンプレートにより生成された３次元陳列空間情報で物体を３次元空間に陳列したように表示させることができる。
【００７５】
また、３次元陳列空間情報に適用されるテンプレートを作成し、テンプレートを管理するテンプレート管理装置１に管理させるオーサリング端末４を備えるので、テンプレートを作成して逐一管理する必要がない。
【００７６】
また、テンプレート適用前の３次元陳列空間情報を作成し、該３次元陳列空間情報にテンプレートＩＤを付与し、３次元陳列空間情報を管理する３次元陳列空間情報管理装置５に管理させるオーサリング端末４を備えるので、テンプレート適用前の３次元陳列空間情報を作成して逐一管理する必要がない。
【００７７】
また、管理されるテンプレートの利用履歴を管理するテンプレート利用履歴管理部１２を備えるので、テンプレートの利用履歴を逐一管理する必要がない。
【００７８】
また、テンプレート利用履歴管理部１２は、テンプレートの作成時のポイントに対し閲覧時にポイントを加算するので、テンプレートが閲覧されたときには作成者へ更に多くの対価還元が行えるようにできる。
【００７９】
また、テンプレート管理装置１、３次元陳列空間制御サーバ２、利用者端末３、オーサリング端末４、３次元陳列空間情報管理装置５をネットワークを介さないで接続することも可能であり、複数の装置（サーバ・端末）の機能を１の装置（コンピュータシステム）内に構成することも可能である。
【００８０】
また、上記説明した処理を実行させるコンピュータプログラムは、半導体メモリ、磁気ディスク、光ディスク、光磁気ディスク、磁気テープなどのコンピュータ読み取り可能な記録媒体に格納したり、インターネットなどの通信網を介して伝送させて、広く流通させることができる。
【００８１】
【発明の効果】
以上説明したように、本発明によれば、物体を３次元空間に陳列したように表示させる要求があった際に、物体を３次元空間に陳列したように表示させるためのテンプレート適用前の３次元陳列空間情報を取得し、物体を３次元空間に陳列したように表示させるための複数のテンプレートを選択し、選択されたテンプレートをテンプレート適用前の３次元陳列空間情報に適用するので、物体を３次元空間に陳列したように表示させる要求があった際の利便性向上が図れる。
【図面の簡単な説明】
【図１】本発明の３次元陳列空間表示制御システムを含むシステムの構成を示す図である。
【符号の説明】
１…テンプレート管理装置
２…３次元陳列空間制御サーバ
３…利用者端末
４…オーサリング端末
５…３次元陳列空間情報管理装置
１１…テンプレート管理部
１２…テンプレート利用履歴管理部
２１…テンプレート選択部
２２…テンプレート適用部
２３…３次元陳列空間表示制御部
２４、５１…テンプレート適用前３次元陳列空間情報管理部
２５…テンプレート適用後３次元陳列空間情報管理部
３１…３次元陳列空間閲覧部
３２…表示部
３３…入力部
４１…テンプレート作成部
４２…３次元陳列空間情報作成部
４３…テンプレートＩＤ付与部
【図１】
2004362275.tif 000003